Podtech/llm-jp-corpus-v4-ja_patent huggingface dataset:
(57)【要約】      （修正有）【課題】収納しやすく取り出し量も加減できる袋入り味噌を提供する。【解決手段】１５０ｇから２ｋｇまでの味噌を化成品の袋に入れ、取り出し口にキャップを取り付ける。【選択図】図１
0003180276.tif 000002
【実用新案登録請求の範囲】
【請求項１】
食する味噌で１５０ｇから２ｋｇまでの量を材質が衛生的な化成品の袋に入れ取り出し量を自由に加減できるものでキャップ封を特徴とするキャップ付き袋入り味噌。
【考案の詳細な説明】
【技術分野】
【０００１】一般の味噌は固形容器の中に味噌を入れているが、本考案は味噌の保管場所として収納をしやすく、また味噌を使う時、取り出し使用量を加減しやすくするために、キャップ付き袋の中に味噌を入れたものである。
【背景技術】
【０００２】和食用として使用する味噌は、一部袋入りのものもあるが密封が困難で、また固形容器に入れられたものは容器の強度も弱い。使用中途の味噌を保管する時、収納方法と場所に苦労していた。また使用量を取り出す時も、計量に工夫が必要である。これを解決するためにキャップ付き袋に味噌を入れ、収納しやすく取り出し量も加減できるように考案したものである。
【考案の概要】
【考案が解決しようとする課題】
【０００３】味噌の収納と取り出しについて、その容器の形状から収納に苦労していた。
また分量にも工夫が必要であった。本考案は味噌の容器を袋にし、それに味噌を入れてキャップをしているので、横向き下向きにしても味噌が飛び出さず、自由に収納することができ、収納工夫の必要性がなくなり、また分量使用する時、計量器等で取り出していたが、取り出し口からの注出で自由な量を出しやすくなり、日常生活の合理化の解決に役立つこととなる。
【課題を解決するための手段】
【０００４】本考案は、一般家庭で使用される量１５０ｇから２ｋｇの味噌を袋の中に入れ、取り出し口にキャップをつける。
キャップはねじ込み式又はフック式とする。
今迄の収納方法に比べ、キャップ封印されているので味噌が飛び出すことなく、袋の柔軟性もあり、冷蔵庫内等収納の整理整頓がしやすい。また味噌を取り出す時もキャップ口から分量抽出するので計量器等で取り出す量を加減する必要がない。効率的で生活の合理化に役立つ。
【考案の効果】
【０００５】上述のように本考案のキャップ付き袋入り味噌は、容器が固形でないため、保管する時に置き場所に柔軟性があり整理整頓しやすい。また分量使用の時、固形容器の場合は計量器等を使っていたが、袋入りのため袋を絞り味噌の必要分量を直接抽出し使用できるため、取り出す時簡便である。また袋だけに入れたものは分量使用した時、縁に味噌が残って困り、封する時手間がかかった。
キャップ付きとすることでその欠点をなくし、衛生面で役立つ。
【図面の簡単な説明】
【０００６】
【図１】本考案の味噌入りキャップ付き袋容器の平面の断面図である。ねじ込みタイプ。
【図２】上述味噌入りキャップ付き袋容器の側面の断面図である。ねじ込みタイプ。
【図３】上述容器のキャップ面から見た側面図である。ねじ込みタイプ。
【考案を実施するための形態】
【０００７】本考案は、食品に関するものであり、食品衛生上問題にならない材質の化成品袋を使用する。また袋の側面に取り出し用ねじ込み式キャップ付き又はフック式キャップ付きの取り出し口を設置する。味噌の注入は取り出し口を利用し、袋の中に逆注入充填し、キャップで封する。又は味噌を袋に入れた後袋を封する。使用する時は、取り出し口から必要分量を出しキャップ封して保管する。
【実施例】
【０００８】小容量のキャップ付き袋入り味噌は、食卓上で味噌を使用する時のため活用できる。味噌味付けの濃度を濃くする時や、料理にもその味付けをする時に利用するのに便利である。【０００９】大容量のキャップ付き袋入り味噌は、一度に味噌を使用する量が多い味噌汁用に使用する時等に利用する。取り出した後キャップ封するので使用後簡便に保管できる。【００１０】毎日使用しない場合は、キャップ密閉のため袋の中の空気量が少ないので、空気による劣変化が少なく、ある程度長期に賞味できる。
【産業上の利用可能性】
【００１１】生産出荷の時、キャップ付き袋状のため、取扱いがしやすく箱詰め等作業が容易である。【００１２】味噌を業務用として使用する場合、持ち運びがしやすい単体の味噌量である。【００１３】キャップ封のため中途使用容器の保存方法に作業時間が短縮され、作業の効率をあげられる。【００１４】キャップ封のため味噌の臭気が外にもれず、他の物と一緒に整理整頓しやすい。
【符号の説明】
【００１５】１．味噌室
２．味噌入れ化成品袋容器
３．袋容器のキャップ用雄型ねじ付き部
４．雌型ねじ付きキャップ
【図１】
0003180276.tif 000003
【図２】
0003180276.tif 000004
【図３】
0003180276.tif 000005
(57)【要約】      （修正有）【課題】いろいろに傾斜した波消しブロックの脚の上に道具や物を置くための安定した台を提供する。【解決手段】複数の定められた長さの脚を持つ台のそれぞれの固定脚の長さを変えて台に一定の傾きを持たせ、ランダムに置かれた波消しブロックの脚の傾きに対し、台の脚の位置を適合させる事で、波消しブロックの脚の傾きを台の傾きで補正し、安定した平面を容易に設置できる様に構成する。【選択図】図２
0003180278.tif 000002
【実用新案登録請求の範囲】
【請求項１】
上板に長さの決められた複数の脚を持ち、それぞれの脚の長さを変える事によって台の上板に適当な傾きを持たせた台
【考案の詳細な説明】
【技術分野】
【０００１】  考案は波消しブロックの脚上で釣りをするための道具や物を置く台に関する。
【背景技術】
【０００２】  従来のものとしては高さ調節の出来る脚を持った物があるが、いずれも可動する脚を状態に合わせて高さを調節するための可動装置や調節した位置に脚を固定する固定装置を持っている。（先行技術文献の特許文献１および２参照）【０００３】  また底面が円推形状で上面を平面にしたマットがある。（例えば、非特許文献１参照）
【先行技術文献】
【特許文献】
【０００４】
【特許文献１】実開平６−１９４７７  図１
【特許文献２】特開平０８−０００１４５  要約書  代表図面
【非特許文献】
【０００５】
【非特許文献１】（第一精工製  製品カタログ  テトラマット）ｈｔｔｐ：／／ｗｗｗ．ｎａｔｕｒｕｍ．ｃｏ．ｊｐ／ｉｔｅｍ／５３５５３．ｈｔｍｌ
【考案の概要】
【考案が解決しようとする課題】
【０００６】  波消しブロックの上で釣りをする場合、波消しブロックの脚に道具や物を置く為の平らな場所を設ける必要があるが、波消しブロックの脚の傾きはいろいろであり、又円錐型が多いため安定した場所を得ることが困難である。【０００７】  これまでの台としては支持する脚のそれぞれの長さを場所の状態に合わせて長短いろいろに変更し、設置するもの或いは箱の下部に伸縮する軸を設けたものであった。（特許文献１および２）【０００８】  このような装置では複雑な構造になり、重くなり、ぐらついて不安定になり、また取り付けられた脚を分解し持ち運ぶため、大きな荷物になり、側面に取り付けられた脚が、持ち運びに邪魔になる等のため不便であった。【０００９】  また底面が円推形状で上面を平面にしたテトラマットがあるが、マット状の物では波消しブロックの脚の傾きに従い、いろいろに傾斜した波消しブロックの脚に対して補正の機能がないため、必要とする場所に安定した平面を得る為の場所の選択に大きな制限があった。（非特許文献１参照）
【課題を解決するための手段】
【００１０】  本考案の台は決められた長さ（非可変）の複数の脚を持っており、それぞれの脚の寸法を変えることによって台の上面に一定の適当な傾きを持たせ、いろいろな波消しブロックの脚の傾きに対してこの台の傾きを任意に組み合わせることで波消しブロックの傾きを台の傾きで補正し安定した台の上面を得る様にした。
【考案の効果】
【００１１】  この考案の台は脚の長さを定める事で脚毎に調整の手間を省き、脚の長さを調整する代わりに適当な長短の長さにした脚を台に取り付けることで台の上面に適当な傾きを持たせ、ランダムに置かれた波消しブロックの脚のいろいろな傾きに対し、台の傾きが波消しブロックの脚の傾きを補正するように台の脚の位置を選ぶ事によって、道具や物の安定した置き場を容易に得ることが出来る。【００１２】  波消しブロックの傾きによっては脚の二本と台の底面の一点で受ける三点支持或いは三本の脚と側面の下部で受ける方法等があり、特に荒磯の凸凹な岩場で応用する場合は底面で受ける方法を用いれば応用範囲が広く安定した平面を得ることは容易である。【００１３】  またの脚の長さが固定されたことで、台は一体成型することも出来、またヒンジやちょうつがいで脚を折りたためば小さくなり、軽量で強固な構造で運搬も製造も容易になる。【００１４】  またその形状をつり用の寄せ餌を入れる容器の型や、クーラーボックスの形状に合わせる事で、それらの蓋の様に上にかぶせ様にすれば運搬も更に容易である。
【図面の簡単な説明】
【００１５】
【図１】台の一例（四本脚）の斜視図
【図２】波消しブロックの脚上に置かれた台の側面図
【図３】図２のＸ方向から見た正面図
【図４】図２のＹ方向から見た上面図
【図５】波消しブロックの脚の上面が水平な場合、波消しブロックの脚の軸に対し台を９０度に回し安定させた図
【考案を実施するための形態】
【００１６】  物の置き場となる上板の前後に長さの異なる固定された脚を四本持つ傾斜した台。
【実施例】
【００１７】  図１は台の一例（四本脚）の斜横断面図であるが、Ａは上板でこの上に道具や物を乗せる。【００１８】  上板の下部の前側にはＢ１の短い前脚の左側、Ｂ２の短い前脚の右側、後側にはＣ１の長い後脚の左側、Ｃ１の長い後脚の左側が取り付けられている。
【符号の説明】
【００１９】Ａは上板
Ｂ１は短い前脚の左側
Ｂ２は短い前脚の右側
Ｃ１は長い後脚の左側
Ｃ２は長い後脚の右側
Ｄは波消しブロック
Ｅは台の全体
【図１】
0003180278.tif 000003
【図２】
0003180278.tif 000004
【図３】
0003180278.tif 000005
【図４】
0003180278.tif 000006
【図５】
0003180278.tif 000007
(57)【要約】      （修正有）【課題】子供のための防寒・防水機能及び、シートカバーの機能を１枚で兼ねそろえ、つけ忘れることなくシーズン中子供とシートを守れる防寒チャイルドシートカバーを提供する。【解決手段】カバーの前部を面ファスナー１で開閉可能とし、シートと子供のカバーを兼ねる形状とする。日常的に使いやすくするため、開口部を大きくすることで、着脱時に子供の頭を通すことを容易とし、開口部の締め具合を調整できることで、寒い時には保温でき、寒くない時には手を自由に出せるようにし、カバーを付けていることに対する子供のストレスも低減できる。面ファスナー１の固い部分を反対に折り返すことで、子供に当たらず使えるようにした。裏地にフリースを使い、保温性を持たせた。【選択図】図１
0003180275.tif 000002
【実用新案登録請求の範囲】
【請求項１】
主にヘッド部分が小型で丸いタイプの自転車のチャイルドシートカバーにおいて、シート前部を面ファスナー（３）で開口できるようにすることで、子供のための防寒・防水機能及び、子供を乗せない時には、シート自体のカバーを兼ねそろえることを特徴とする自転車後ろ用防寒チャイルドシートカバー
【請求項２】
面ファスナーの固い部分が子供の顔に当たらずに利用できるよう、固い部分がついた持ち出し部分を反対側に折り曲げて（４）利用できることを特徴とする請求項１に記載の防寒チャイルドシートカバー
【請求項３】
面ファスナーの持ち出し部分を２部に分ける（５）ことで、胸元をカバーする部分をしっかりと止められることを特徴とする請求項１〜２のいずれか１項に記載の防寒チャイルドシートカバー
【請求項４】
シート前部の開口部を大きく（約５５ｃｍ）開くことで、着脱時に子供の頭を通すのを容易にし、カバーを嫌がる子供が自由に手を外に出すことを可能とすることを特徴とする、請求項１〜３いずれか１項に記載の防寒チャイルドシートカバー
【考案の詳細な説明】
【技術分野】
【０００１】
本考案は、子供の防寒及び、シートの保護を兼ねるチャイルドシートカバーに関するものである。
【背景技術】
【０００２】
現状の防寒対策としては、毛布を巻きつけること、雨対策としては、シート及び子供全体を覆うカバーを取り付けることが主流である。またシート保護には別途シートカバーがある。子供を連れている母親は荷物が多く、それぞれの場合に応じたカバーを持つのは困難であり、結果、持ち忘れ・つけ忘れで寒さや雨に対応しなくてはいけないことが多い。
また、シート及び子供全体を覆うカバーは息苦しくかつ子供も顔を出したがるため、豪雨の場合は有効だが、日常使いにはそぐわない。（例えば、特許文献１）
【０００３】
現状の防寒カバー（例えば、特許文献２）や、レインカバー（例えば、特許文献１、特許文献３）は主に日本製のチャイルドシートを対象としている。しかし、最近は輸入品に多い背面が丸く小型のチャイルドシートが増加しており、このようなチャイルドシートに対応する防寒カバーはない。
【先行技術文献】
【特許文献】
【０００４】
【特許文献１】登録実用新案第３１６４５６０
【特許文献２】登録実用新案第３１６５７２３
【特許文献３】登録実用新案第３１７３０３５
【考案の概要】
【考案が解決しようとする課題】
【０００５】
寒い時期に、毛布を子供に巻きつけているが、毛布が落ちたり、車輪にまきこまれたりする危険性があること
【０００６】
防寒カバーや、レインカバー、シートカバーをそれぞれの用途に合わせて持ち合わせるのは、荷物の多い親にとっては困難であること。
【０００７】
特許文献１のような、子供もシートも覆うレインカバーは、雨の降っていないときには息苦しく、子供も顔や手を出したがるため、日常的に使うことが困難であること
【０００８】
特許文献２のような防寒マフは、主に、日本製を中心としたチャイルドシートに対応するものであり、背面が丸い小型の輸入品に多いタイプのシートには対応していない。
【課題を解決するための手段】
【０００９】
本考案では、シートの上部からかぶせる形状であり、背面は面ファスナー式のベルトで固定し、背面・足元はゴムで調整できることから、カバーが落下する危険性を防止できる。
【００１０】
本考案では、子供の防寒とチャイルドシートのカバーを兼ねるため、シートの前部を大きく開口し、子供が顔や手を出せるとともに、面ファスナーで胸元や首元の保温を調整することが可能な形状とした。また子供が乗っていないときは、シートカバーとして利用するため、面ファスナーで簡単に閉めることができるようにした。また防水生地を利用しており、多少の雨からも子供とシートを守ることができる。
【００１１】
本考案は、主に、背面が丸く小型の輸入品に多い形状のチャイルドシートに適応する形状である。
【００１２】
本考案では、防水生地にフリース生地を張り合わせ、防水と防寒を兼ねそろえた形状としている。
【考案の効果】
【００１３】
本考案のチャイルドシートカバーを利用すれば、寒いシーズン中はつけたままで、寒さに対応でき、雨に対応でき（豪雨は除く）、子供の機嫌や天候に応じて、前を大きく開けたり、閉めたりができ、そして、シートカバーにもなる。荷物の多い親を助け、子供もシートも守ることができる。
【図面の簡単な説明】
【００１４】
【図１】本考案の実施形態を示す斜視図。大きく開く開口部より、子供が手をだすことができることを示す斜視図である。
【図２】本考案の実施形態斜視図。子供を乗せていない時のシートカバーとしての利用図。
【図３】本考案の前面図
【図４】本考案の実施形態斜視図。胸元まで閉めて利用する形態。
【図５】本考案の実施形態背面図
【符号の説明】
【００１５】
１  面ファスナー
２  面ファスナーの折り返し部分
３  前面の面ファスナー
４  面ファスナーの固い部分を折り返し、顔に当たらないようにしてある部分の詳細図
５  面ファスナーを2部に分け、胸元を保温する際に止めやすいようにしてある部分の詳細図
【図１】
0003180275.tif 000003
【図２】
0003180275.tif 000004
【図３】
0003180275.tif 000005
【図４】
0003180275.tif 000006
【図５】
0003180275.tif 000007
(57)【要約】      （修正有）【課題】葉刈りや剪定作業で発生する葉屑を回収するため、樹木の根元部分の周りを効率よく、能率よく敷くことのできる、シートを提供する。【解決手段】１枚のシート１の中央部の任意の箇所からシートの外周縁の任意の箇所までを任意の線形で切り離した状態の箇所３を設け、シートの中央部の任意の箇所に任意の形の切断箇所２を任意の箇所数設ける。また、任意の線形で切り離した状態の箇所３のシートの縁の任意の箇所に、任意の形の脱着可能な接合部４を任意の箇所数設ける。このように形成したシート１を、葉刈りや剪定をおこなう樹木の根元部分に、シートの中央部の任意の箇所に任意の箇所数設けた任意の形の切断箇所２が位置するようにシートを敷き、シートの切り離した状態の箇所３を脱着可能な接合部４により接合することにより、１枚のシートの中央部に樹木の根元部分が位置するように敷くことができるようにした。【選択図】図１
0003180255.tif 000002
【実用新案登録請求の範囲】
【請求項１】
１枚の任意の形のシート１の中央部の任意の箇所からシートの外周縁の任意の箇所までを任意の線形で切り離した状態の箇所３を設け、シートの中央部の任意の箇所に任意の形の切断箇所２を任意の箇所数設ける。
任意の線形で切り離した状態の箇所３のシートの縁の任意の箇所に、任意の形の脱着可能な接合部４を任意の箇所数設け、１枚のシートの中央部に樹木の根元部分が位置するように敷くことができる葉刈り敷きシート。
【請求項２】
任意の形の２枚のシートの任意のつなぎ合わせる箇所６を設けることによって１枚のシート５にし、２枚のシートの任意のつなぎ合わさない個所７を設けることによって、中央部の任意の箇所からシートの外周縁の任意の箇所までを任意の線形で切り離した状態の箇所３を設けた、実用新案登録請求第１項記載の葉刈り敷きシート。
【考案の詳細な説明】
【考案の開示】
【考案が解決しようとする課題】
【０００１】これまで、葉刈りや剪定作業をおこなうと、その葉屑が地面に散乱し、箒などを用いても十分に取り除くことができず、手で拾い集めることも面倒であった。特に、松やつつじなどの主に葉を葉刈りや剪定する樹木の場合は、地面に小石などが敷いてあったり、芝生に覆われていたり、地表を這うような植物が植えられている場合、葉刈りや剪定した小さい葉屑がそれらの隙間に入り込み、取り除くことは大変面倒で手間のかかる作業であり大変苦慮していた。
庭園などでは、葉刈りや剪定をおこなった後、地面に取り除けていない葉屑が残り、数日経つと枯れて茶色く変色し、景観を損ねる原因にもなっていた。
また、木の下に市販のブルーシートや葉刈り敷きシートなどを敷いて葉刈りや剪定した葉屑をその上に落とし、回収する方法もあるが、市販のシートなどを一枚使う場合は木の根元部分がシートの中央に位置するように敷くことができず、樹木の根元部分の周りをすべて敷きつくすことはできなかった。
また、市販のシートなどを複数枚使い、樹木の根元部分を囲んで敷き並べて使う場合もあるが、木の根元部分が数本からなる場合や、樹形によっては葉が地面を一定面積で覆っているような場合もあり、このような場合は木の根元に当たる部分の面積が大きくなり、何枚ものシートを使用し敷き並べることとなり、さらにシートの重ね合わさる無駄な部分が生じ、大変非効率であった。
また、市販のシートなどを２枚使い、シートの一辺に切り込みを入れてそこに樹木の根元部分部をあてがい、２枚のシートを並べて重ねて敷くこともできるが、作業が面倒であった。
【課題を解決するための手段】
【０００２】上記課題を解決するために、１枚のシートを使う場合、１枚の任意の形のシートの中央部の任意の箇所からシートの外周縁の任意の箇所までを任意の線形で切り離した状態の箇所を設け、シートの中央部の任意の箇所に任意の形の切断箇所を任意の箇所数設ける。
任意の線形で切り離した状態の箇所のシートの縁の任意の箇所に、任意の形の脱着可能な接合部を任意の箇所数設ける。
また、任意の形の２枚のシートの任意のつなぎ合わせる箇所を設けることによって１枚のシートにし、２枚のシートの任意のつなぎ合わさない個所を設けることによって、中央部の任意の箇所からシートの外周縁の任意の箇所までを任意の線形で切り離した状態の箇所を設けた一枚のシート。
このように形成したシートを、葉刈りや剪定をおこなう樹木の根元部分に、任意の形の切断箇所が位置するようにシートを敷き、シートの切り離した状態の箇所の部分を脱着可能な接合部により接合する。
このようにして、１枚のシートの中央部に樹木の根元部分が位置するようにシートを敷くことができるようにした。
【考案の効果】
【０００３】このように形成したシートを、葉刈りや剪定をおこなう樹木の根元部分に、任意の形の切断個所が位置するようにシートを設置し、シートの切り離した状態の部分の箇所を脱着可能な接合部により接合することによって、１枚のシートの中央に樹木の根元部分が位置するようにシートを敷くことができ、シートの無駄な重ね合わせ部分が生じなく、そして、１枚のシートで樹木の根元部分の周りを敷くことができ、葉刈りや剪定作業によって生ずる葉屑をシート上で効率よく簡単に能率よく、集積、回収することができる。
【図面の簡単な説明】
【０００４】
【図１】１枚のシートの平面図である。
【図２】２枚のシートをつなぎ合わせて１枚のシートにした平面図である。
【符号の説明】
【０００５】１    １枚のシート
２    切断箇所
３    切り離した状態の箇所
４    脱着可能な接合部
５    ２枚のシートをつなぎ合わせた１枚のシート
６    ２枚のシートの任意のつなぎ合わせる箇所
７    ２枚のシートの任意のつなぎ合わさない個所
【図１】
0003180255.tif 000003
【図２】
0003180255.tif 000004
(57)【要約】      （修正有）【課題】容易にゴミを圧縮可能なダストボックスを提供する。【解決手段】本体と蓋とからなり、蓋の部分に吸入孔と圧力調整弁を設け、家庭用のクリーナー、または他の吸引装置により簡単に吸引することができる構造で、吸引時の圧力によって本体に破損を避けるための孔を設けている。【選択図】図１
0003180252.tif 000002
【実用新案登録請求の範囲】
【請求項１】
ゴミを収納する本体と、本体を密閉する事ができ吸引するための孔を有する蓋とからなり、本体部分には１つ以上の孔を有し、蓋には圧力調整弁を設ける事を特徴とするダストボックス。
【考案の詳細な説明】
【発明の詳細な説明】
【利用分野】
【０００１】  ダストボックスにゴミを圧縮する機能を持たせ、ゴミの容積を減ずる事により、収納できるゴミの量を増やし、ゴミ処理の負担を軽減させる事ができる。主に一般家庭用のダストボックスへの利用を目的とするが、業務用としての利用も可能。
【背景技術】
【０００２】  従来、特に一般家庭用では、本体と蓋だけのダストボックスが殆どであり、ゴミ袋をダストボックスに入れゴミを溜め、そのまま廃棄するため、収納量が限られていた。その為、市町村等の公共団体が収集する指定の場所に運搬する手間も多く、かつ、収納袋の消費も増えるため、経済的、かつ環境面への負荷も大きかった。
又、圧縮可能なゴミ箱も存在するが、機械的に圧縮する装置のみであり、一般家庭用のものは、圧縮するための負担が大きく、又、圧力の調整が難しいため、袋や本体の破損等の問題が発生しやすかった。
【発明が解決しようとする課題】
【０００３】  ダストボックスに簡単な機能を付与し、容易にゴミを圧縮可能とする事で、ゴミ処理の負担を軽減させると同時に、経済的、環境的な負担を軽減するダストボックスを提供するものである。
【課題を解決するための手段】
【０００４】  上記のような課題を解決するために、本発明のダストボックスは、蓋の部分に吸入孔３と圧力調整弁４を設ける。又、吸入孔３は一般的な家庭用クリーナー、又は、他の吸引装置により吸引する事ができる構造とする。本体は吸引時の圧力によって本体破損を避けるための孔５を設けてなるものである。
【考案を実施するための形態】
【０００５】  ダストボックスには一般的に使用するゴミ袋６を入れ、ゴミをその中に捨てる。ある程度溜まってきたら、蓋を閉め、吸入孔３にクリーナー等の吸引装置を接続し吸引する。吸引によって、ゴミは圧縮され、容積が減少する。その後吸引を止め、蓋を開けてゴミ袋をもとの状態に戻す事で、ダストボックス内のゴミ容積は減少するため、更にゴミを入れる容積ができ、ゴミを追加する事ができる。この動作を繰り返す事により、１袋に収納できるゴミの量は、従来のダストボックスを使用する場合に比較し容易に増やす事が可能となる。蓋の圧力調整弁、及び、本体の孔は、過度な吸入力による本体、及びゴミ袋の破損を防止するものである。
【実施例】
【０００６】  以下、本発明の実施例を添付図面に基づいて説明する。
本発明の圧縮装置付ダストボックスは、図１に示すように、吸入孔３、及び圧力調整弁４を有する蓋、及び空気を入れるための孔５を有する本体からなる。蓋、及び本体は通常のダストボックスで使用される、プラスティック、金属、木材等で容易に作成できる。【０００７】  図２に示すように、本体にゴミ袋を入れゴミを収納し、ある程度ゴミが溜まったら、ゴミ袋上部が吸い込まれない程度に蓋を密閉して閉め、吸引孔３にクリーナー等の吸引装置を接続し、吸引を開始し、図３のように袋全体を圧縮する。
圧縮が完了したら、図４に示すように蓋を開け、ゴミ袋を元に戻す事で、ゴミの収納容積が増えるため、図５に示すように更にゴミを追加収納可能となる。
以降、図６〜７に示すようにド同じ操作を繰り返す事により、１袋に入るゴミの量を増やす事ができる。【０００８】  上記の例では、ゴミ袋のみ使用したが、袋の破損のリスクをより軽減、又、蓋を開け、形状を元に戻す事を容易にするため、分別収集に応じた材料にて、袋の底に安価な底板を使用する事も可能である。
又、図８に示す他の実施例のように、ゴミの種類により、中のゴミが吸引装置内に吸い込まれないように、吸入孔にフィルター７、又は、フィルター機能を持った内蓋を付属し使用する事で、ゴミの誤吸引を防ぐと共に、吸引装置を保護する事も可能である。
又、より使いやすくするため、袋の上部が吸い込まれないようなパッキン、または、支える固定器８を設ける事も可能である。更に、本発明の蓋の一部にゴミ入れ用の孔と投入蓋９を設け、ゴミを入れる時はこの蓋を使用し、圧縮時には吸引力によって投入蓋が閉まる構造とする事も可能である。
【図面の簡単な説明】
【図１】  本発明の基本構造である。
【図２】  本発明の使用例である。
【図３】  本発明の使用例である。
【図４】  本発明の使用例である。
【図５】  本発明の使用例である。
【図６】  本発明の使用例である。
【図７】  本発明の使用例である。
【図８】  他の実施例である。
【符号の説明】  １  ダストボックス本体
２  ダストボックスの蓋
３  吸入孔
４  圧力調整弁
５  空気を入れる孔
６  ゴミ袋
７  実施例２におけるフィルター
８  ゴミ袋を抑える為のパッキン、又は、支える固定器
９  蓋につけた外開きの投入蓋
【図１】
0003180252.tif 000003
【図２】
0003180252.tif 000004
【図３】
0003180252.tif 000005
【図４】
0003180252.tif 000006
【図５】
0003180252.tif 000007
【図６】
0003180252.tif 000008
【図７】
0003180252.tif 000009
【図８】
0003180252.tif 000010
(57)【要約】      （修正有）【課題】事故防止対策を施したテイルトローター機を提供する。【解決手段】飛行機をジェット機に進化させたターボファン１をプロペラ代わりにし、ヘリコプターが合体したような形状である。【選択図】図１
0003180256.tif 000002
【実用新案登録請求の範囲】
【請求項１】
飛行機をジェット機に進化させターボファンをプロペラの代りにしてヘリコプターが合体したようなテイルトローター機。
【考案の詳細な説明】
【技術分野】
【０００１】
本考案は、従来のテイルトローター機のプロペラ機様式に於ける事故防止対策に関する。
【背景技術】
【０００２】（公序良俗違反につき、不掲載）は飛行機とヘリコプターが合体したような乗り物です。ローターを上向きにして、ヘリコプターのようにま上に離陸します。ローターを前向きにすると、プロペラ機のように前に進みます。
【考案の概要】
【考案が解決しようとする課題】
【０００３】しかしながら、米軍基地に於ける（公序良俗違反につき、不掲載）配備に関して、扇風機の首振り動作に於ける反作用としての抵抗体が原因であるかのようなローター動作に於ける反作用としてのプロペラ事故を理由に、事故防止対策の要求があるという欠点がある。【０００４】
本考案は、上記実情を鑑みてなされたものであり、テイルトローター機の事故防止対策がなされている。
【課題を解決するための手段】
【０００５】
上記目的を達成するため考案は、ローター動作に於ける扇風機の反作用としての抵抗体の様なプロペラ事故防止対策として、次の構成を含むことを特徴としている。扇風機冷房の欠点を失くしたセントラルヒーティング装置のように、プロペラを失くし、ジェット機とするための、ターボファンエンジン（主にジェット機で使われています。圧縮した空気と燃料を爆発させて、後ろにいきおいよくふき出し、その力で飛行機を動かします。特にプロペラ機と異り、羽根のたくさんある大きなプロペラとしてのファンを有しており、空気を取り込んで、圧縮すると同時に前へ進む力もつくります。）をローターにより動かすジェット機とヘリコプターが合体したような乗り物を構成するものです。
【考案の効果】
【０００６】
本考案により、その構成にターボファンエンジンを有したジェット機とヘリコプターを合体したローター動作運用とする事により、テイルトローラー機の事故防止対策ができる。
【図面の簡単な説明】
【０００７】
【図１】本考案のテイルトローター機
【考案を実施するための形態】
【０００８】
本考案の実施の形態の一例について図面を参照しながら説明する。
プロペラ機様式の事故対策のテイルトローター機は、図１に示すように、ターボファンとローター１，４とテイルトローター機２、でジェット機様式で構成されるもの。
【符号の説明】
【０００９】
１.４．   ターボファンとローター
２．      テイルトローター機
３．      運搬自動車（ローターが上を向いているようすのため）
【図１】
0003180256.tif 000003
【手続補正書】
【提出日】平成24年10月15日(2012.10.15)
【手続補正１】
【補正対象書類名】明細書
【補正対象項目名】０００２
【補正方法】変更
【補正の内容】
【０００２】
従来のテイルトローター機は飛行機とヘリコプターが合体したような乗り物です。ローターを上向きにして、ヘリコプターのように真上に離陸します。
ローターを前向きにすると、プロペラ機のように前に進みます。
【手続補正２】
【補正対象書類名】明細書
【補正対象項目名】０００３
【補正方法】変更
【補正の内容】
【０００３】
しかしながら、米軍基地における従来のテイルトローター機配備に関して、扇風機の首振り動作に於ける反作用としての抵抗体が原因であるかのようなローター動作に於ける反作用としてのプロペラ事故を理由に事故防止対策の要求があるという欠点がある。
(57)【要約】      （修正有）【課題】杖の補助を必要とする使用者に対して、近年増加の傾向にある交通事故や、事件を未然に防ぐために、交通安全や防犯の為のライト及び緊急警報器を取り付けることで使用者の安全に配慮する杖を提供する。【解決手段】グリップ部分前面に可動式ＬＥＤライト５、グリップと杖の接続部の上部に全方向を照らす赤色点滅灯５、緊急警報を鳴らすための緊急警報器発信用スピーカー２と緊急警報器発声ボタン６を備えたことを特徴とし、グリップにボタンを集約することで操作は簡易化され、利便性が向上する。【選択図】図１
0003180248.tif 000002
【実用新案登録請求の範囲】
【請求項１】
グリップ部分前面に可動式ＬＥＤライト、グリップと杖の接続部の上部に全方向を照らす赤色点滅灯をつけることにより、前後左右に使用者の存在を周知させることで未然に事故を防ぎ、また、緊急警報を鳴らすことにより、使用者に迫った危険を周囲に知らせることができる杖。
【考案の詳細な説明】
【技術分野】
【０００１】本考案は、杖の補助を必要とする使用者に対して、近年増加の傾向にある交通事故や、事件を未然に防ぐために、交通安全や防犯の為のライト及び緊急警報器を取り付けることで使用者の安全に配慮する杖に関したものである。
【背景技術】
【０００２】杖を必要とする高齢者や身体障害者の歩行に際して、夜間歩行の安全及び車や自転車等からの視認性を備えた杖は多数考案されているが、近年では昼夜を問わず事件・事故に巻き込まれるケースは増え続けている。また、バリアフリー化が進んでいない我が国においては、舗装されている道路であっても段差があるなど、杖を必要とする使用者にとって危険が多数潜在している。
【考案の開示】
【考案が解決しようとする課題】
【０００３】従来型のライト付き杖については、前方を照らすことはできても、足下を照らすことや、赤色点滅灯で全方向に使用者の存在を知らせることは困難である。緊急警報器についても、別途防犯ブザーなどを所持している場合もあるが、身体から離れているケースが多く、緊急警報を鳴らして危険を知らせたい時にタイムラグが発生しやすい。
【課題を解決するための手段】
【０００４】上記目的を達成するために、グリップ前方に可動式のＬＥＤライトを取り付けることにより、一方向だけでなく足下など照射範囲を広げ、杖との接続部の上部に全方向を照らす赤色点滅灯を取り付けることで、前後左右に使用者の存在を知らせることが可能となる。
ＬＥＤライトおよび赤色点滅灯の点灯・消灯はグリップ上部のボタン操作にて行う。ライトの可動は手動で行う。さらにグリップ内部に緊急警報器を取り付ける。警報の誤作動を避けるために、警報器の発声はグリップ左側面にあるボタン操作で行う。
【考案の効果】
【０００５】本考案のライト・緊急警報器一体型の杖は、全ての機能をグリップに集めることで、使用者の操作を簡素化し、高齢者や身体障害者にとって使いやすい形態とする。
【考案を実施するための最良の形態】
【実施例】
【０００６】以下添付図面に従って実施例を説明する。図面１は杖のグリップ部分の左側面図である。通常のライト付き杖は、一方向しか照らすことができず、足下を照らすことが困難で、かつ、使用者の存在を全方向に知らせることができない。増加する犯罪から身を守る為に防犯ブザーを別途持ち歩くケースも増加しているが、危険を周囲に知らせたくとも別動作が必要になるため、タイムラグが発生しやすい。本機はライト・緊急警報器をグリップ部分に集約し、ボタン操作で使用者の操作を簡単簡潔にし、全方向を照らす赤色点滅灯をグリップと杖の接続部の上部に設置することにより、周囲に使用者の存在を容易に知らせることが可能となる。
【図面の簡単な説明】
【０００７】
【図１】グリップ左側面図
【符号の説明】
【０００８】１  ＬＥＤライト及び赤色点滅灯点灯・消灯ボタン
２  緊急警報器発信用スピーカー
３  ＬＥＤライト
４  ライト可動範囲（４５度）
５  赤色灯
６  緊急警報器発声ボタン
【図１】
0003180248.tif 000003
【手続補正書】
【提出日】平成24年9月25日(2012.9.25)
【手続補正１】
【補正対象書類名】実用新案登録請求の範囲
【補正対象項目名】全文
【補正方法】変更
【補正の内容】
【実用新案登録請求の範囲】
【請求項１】
グリップ部分前面に可動式ＬＥＤライト、グリップと杖の接続部の上部に全方向を照らす赤色点滅灯、緊急警報を鳴らすための緊急警報器発信用スピーカーと緊急警報器発声ボタンを備えた杖。
(57)【要約】      （修正有）【課題】草取りなどを腰掛に腰を掛けて、身体が進もうとした方向に腰掛も同時に進んで作業できるようにした腰掛を提供する。【解決手段】前輪軸、後輪軸それぞれに車輪３を２個を取り付けた車軸２の上に、前輪と後輪の間に側面視で凹形状のサドル１を設けて重心を下げ、身体を前後にずらしたときも、腰掛が同時に同じ方向に動くようにして草取り用腰掛を形成する。【選択図】図１
0003180245.tif 000002
【実用新案登録請求の範囲】
【請求項１】
草取り用腰掛のサドル部分を、平板でなく、前輪と後輪の間を下げ、重心が前輪と後輪の間に加重される形状の草取り用腰掛。
【考案の詳細な説明】
【技術分野】
【０００１】本考案は、草取りなどを腰掛に腰を掛けて、身体が進もうとした方向に腰掛も同時に進んで作業できるようにした腰掛の考案です。
【背景技術】
【０００２】草取り用腰掛も普及して来ましたが、サドル部分が平板のものが多く，少し先の草を採ろうとして、身体を少し前にじらすと、前輪軸が天秤になり、身体は下方へ、腰掛は後ずさりし、転倒する危険性がありました。
【考案の開示】
【考案を解決しようとする課題】
【０００３】現在使用されてる腰掛は、サドル部分が平板な為、腰掛に腰を掛けたまま、少し先の草を採ろうとして、身体を前にじらすと、前輪軸が天秤になり、身体は下方へ、腰掛は後じさりして、身体は転倒してしまいますので、重心を前輪と後輪の間に来るようにした考案です。
【課題を解決する手段】
【０００４】腰を掛けた儘、身体が進もうとする方向に、身体と腰掛が同方向に進むように、平板を前輪と後輪の間を下げますと、重心がここに集まり、身体を動かした方向に腰掛も進みますので、安全に使用できます。
【考案の効果】
【０００５】重心が、前輪と後輪の間に来ましたので、少し先の草を採ろうとして、身体を前にじらすた時も腰掛も同時に前に動きますので、天秤に掛けられて転倒する事はなくなりました。
【図面の簡単な説明】
【図１】前輪軸、後輪軸それぞれに車輪２個を取り付けた車軸の上に、前輪と後輪の間に重心がくるように、サドルを前輪と後輪の間を下げ、身体をじらすたときも、腰掛も同時に動くようにした安全な形です。
【図１】
0003180245.tif 000003
【手続補正書】
【提出日】平成24年9月14日(2012.9.14)
【手続補正１】
【補正対象書類名】実用新案登録請求の範囲
【補正対象項目名】全文
【補正方法】変更
【補正の内容】
【実用新案登録請求の範囲】
【請求項１】
前輪と後輪の間に、側面視で凹型状のサドルを備えたことを特徴とする草取り用腰掛。
(57)【要約】      （修正有）【課題】爪の生えぎわの両角２箇所のツボを同時に的確に捉え加圧刺激できることで、自身の親指に装着し簡単に機能的な爪もみ刺激ができる爪もみリングを提供する。【解決手段】指輪型リングで素材は全金属製である。リングの下部に２箇所の突起物が設けてあり、先端は刺激する指の角度に合わせて３０度の傾斜が施されている。指輪形リングの上部はリングが開閉自在になる様に形成して親指のサイズに合わせて装着できるようにする。【選択図】図１
0003180267.tif 000002
【実用新案登録請求の範囲】
【請求項１】
本考案は、指輪形状の爪もみリングである。リングの下部の外側に２箇所の突起物を設け先端が３０度の角度で傾斜し、且つ上部が開閉自在に施され機能的な爪もみ刺激が容易にできることを特徴とする爪もみリング。
【考案の詳細な説明】
【技術分野】
【０００１】本考案は、爪もみに関するものである。
【背景技術】
【０００２】一般的な爪もみは指で押しもみを行っていたがこの方法ではツボのポイント刺激が弱いという欠点があった。
【考案の開示】
【考案が解決しようとする課題】
【０００３】本考案は、爪の生えぎわの両角２箇所のツボを同時に的確に捉え加圧刺激できることで上記の問題点を解決しようとするものである。
【課題を解決するための手段】
【０００４】本考案は、自身の親指に装着し簡単な機能的な爪もみ刺激ができる。
【考案の効果】
【０００５】本考案の２箇所の突起物が爪もみ刺激するツボを同時に捉え圧力のある爪もみ刺激ができる。
【考案を実施するための最良の形態】
【０００６】本考案は、指輪型リングで素材は全金属製である。リングの下部に２箇所の突起物が設けてあり、先端は刺激する指の角度に合わせて３０度の傾斜が施されている。上部は開閉自在で親指のサイズに合わせて装着できる。
【図面の簡単な説明】
【０００７】
【図１】は、本考案の爪もみリング本体（前右側面図）
【図２】は、本考案の爪もみリング本体（後左側図面）
【図３】は、本考案の爪もみリング本体の実施図
【符号の説明】
【０００８】▲１▼突起物
▲２▼開閉部
【図１】
0003180267.tif 000003
【図２】
0003180267.tif 000004
【図３】
0003180267.tif 000005
(57)【要約】      （修正有）【課題】ペットの尻尾を通すためのおむつの穴の位置を、ペットの個体差に対応させるために、尻尾を通す部分の形状をかえて、ジクザク状にし、個体差の対応幅を広げたペット用のオムツを提供する。【解決手段】ペット用おむつの尻尾を通す穴の形状を、ジクザク状に長くカットした部分２に、着脱が容易なテープ４を並べて貼り付けて該おむつを形成する。使用に当たっては、１−２枚のテープ４をはがして、そこへ通した尻尾を上下に挟むように再度着脱が容易なテープを張る。これにより、おむつをはかせ易く、また尻尾をはさみ固定する形となるため、おむつ本体が動き難くなるくなることと、おむつの内側に排泄された糞尿が、おむつの外へ落下し難くなる。【選択図】図３
0003180238.tif 000002
【実用新案登録請求の範囲】
【請求項１】
尻尾を通す穴の形状を、ジクザク状にすること。
【請求項２】
請求項２に係る、おむつ外側部分の数カ所に、伸縮性があり着脱が容易なテープを一部重ねて貼りつけ、通した尻尾を上下に挟むようにし、おむつ本体を動きにくくすること。
【考案の詳細な説明】
【技術分野】
【０００１】  本考案は犬や猫などのペット用おむつに関する。
【背景技術】
【０００２】  従来のペット用おむつは、犬猫等の種類、体格などによってサイズを変えてある商品が存在する
【先行技術文献】
【特許文献】
【０００３】
【特許文献】特開２００９−２４０３７８公報
【非特許文献】
【０００４】
【非特許文献】
【考案の概要】
【考案が解決しようとする課題】
【０００５】  しかしながら、尻尾を通すためのおむつの穴が同じ位置、もしくは調節できる幅が少ないため、ペットの個体差に対応できていない。
【課題を解決するための手段】
【０００６】  以上の課題を解決するために、尻尾を通す部分の形状をかえて、ジクザク状（図１）にし、個体差の対応幅を広げる。
【考案の効果】
【０００７】  雌雄によって性器、肛門の位置が違っても、尻尾を通す穴の可動範囲が広いので、合わせやすい。（図３）【０００８】  おむつに尻尾を通し、外側部分を伸縮性があり着脱容易なテープにて、尻尾を上下に挟むようにして貼ることにより、おむつ本体が動きにくくなることが期待できる。【０００９】  ジクザク状にすることにより、糞尿でおむつに負荷がかかっても、１カ所に集中せず分散することから、おむつ外部に漏れにくくなることが期待できる。
【図面の簡単な説明】
【０００８】
【図１】この考案のおむつ本体裏側の平面図である。
【図２】この考案のおむつ本体表側の立体図である。
【図３】この考案のおむつを装着した立体図である。
【考案を実施するための形態】
【０００９】  この考案の一実施形態を、図１ならび図２に示す。
【００１０】「実施形態の効果」
尻尾の位置があわないため、市販のおむつを加工して使うという労力をへらす事も期待できる。
【産業上の利用可能性】
【符号の説明】
【００１１】１  おむつ本体裏側
２  尻尾を通す部分（ジクザクの形状）
３  伸縮性部材
４  符号２を固定する伸縮性があり着脱が容易なテープ
【図１】
0003180238.tif 000003
【図２】
0003180238.tif 000004
【手続補正書】
【提出日】平成24年9月18日(2012.9.18)
【手続補正１】
【補正対象書類名】実用新案登録請求の範囲
【補正対象項目名】全文
【補正方法】変更
【補正の内容】
【実用新案登録請求の範囲】
【請求項１】
尻尾を通す穴の形状を、ジクザク状に長くカットしたペット用おむつ。
【請求項２】
おむつ外側部分のジクザク状に長くカットした部分に、着脱が容易なテープを並べて貼り付けている部分から１−２枚のテープをはがして、そこへ通した尻尾を上下に挟むように再度着脱が容易なテープを張ることにより、おむつをはかせ易く、また尻尾をはさみ固定する形となるため、おむつ本体が動き難くなることと、おむつの内側に排泄された糞尿が、おむつの外へ落下し難くなることを特徴とする請求項１記載のペット用おむつ。
【手続補正３】
【補正対象書類名】明細書
【補正対象項目名】０００８
【補正方法】変更
【補正の内容】
【０００８】
【図１】この考案のおむつ本体中央部をジグザグ状にカットした裏側平面図。
【図２】この考案のおむつ本体中央部をジグザグ状にカットした部分に、カット部分が開かないように着脱容易なテープにて貼り付けた表側の立体図。
【図３】この考案のおむつを犬に装着した立体図。
【手続補正５】
【補正対象書類名】図面
【補正対象項目名】全図
【補正方法】変更
【補正の内容】
【図１】
0003180238.tif 000005
【図２】
0003180238.tif 000006
【図３】
0003180238.tif 000007
(57)【要約】      （修正有）【課題】土木建築作業用車両のパワーショベル前部に装着する、作業用アタッチメントの代表として、土砂や塵芥を掬い取り運搬を目的とするバケットであり、作業用アタッチメントのなかでも多用されるバケット部に蓋をし、バケット部から掬い取った瓦礫類のこぼれ落ちを防ぎ、作業効率を上げることができる蓋付バケットの作業用アタッチメントを提供する。【解決手段】作業用アタッチメントである蓋付瓦礫専用バケットＺは、大きくバケット本体部３０と可動式櫛状蓋部２０により構成され、可動式櫛状蓋部２０は上方に跳ね上げることが出来る。パワーショベル向け瓦礫専用バケットＺは、強度を削ぐことなく軽量化を図り、さらに、可動式櫛状蓋部２０の軽量化をも図った。このことにより、バケット構造と蓋構造を組み合わせるアタッチメント構造を可能とした。【選択図】図２
0003180281.tif 000002
【実用新案登録請求の範囲】
【請求項１】
土木建築作業用車両のパワーショベルの作業用アタッチメントで、バケットに関するものであり、バケットの開口部側に可動式櫛状の蓋部を設置し、２対の油圧シリンダーにより、バケット開口部側の開閉を行うものであり、バケットに集められた土砂・塵芥・瓦礫を充填し、運搬車両に積み込む際の効率性と確実性を高めることを可能とすることを特徴とする蓋付バケットの作業用アタッチメント。
【請求項２】
請求項１蓋付バケットのアタッチメントにおいて、ブレードの開閉を行う２対の緩衝機能油圧シリンダーを装着し、ブレードがバケット開口部への蓋として閉じる際の静粛性を獲得し、併せて、バケットの閉塞時接触衝撃を軽減することにより耐久性を上げることを特徴とする蓋付バケットのアタッチメント。
【考案の詳細な説明】
【技術分野】
【０００１】土木建築作業用車両のパワーショベルには、工事の現場で使用される、さまざまなアタッチメントのバケットが供給されているが、震災現場ではその選択肢は極めて狭くなるのが実情である。また、アタッチメントのバケットを装着することにより、震災地及び土砂崩れ等の現場では、パワーショベルは多用される作業用車両であり、土砂や塵芥を掬い取り運搬を目的とするアタッチメントとしてバケットは汎用される。
【背景技術】
【０００２】土木建築作業用車両のパワーショベルは、個々の土木工事の現場に応じて、作業用アーム前部に装着されるアタッチメントとしてバケットが多用され、アタッチメントには様々な機能を求める現場の声があった。
【先行技術文献】
【特許及び実用新案登録文献】
【０００３】先行関連する技術としては、特開２００５−９２２０号のように、バケットで掬い上げた瓦礫等内容物を粉砕するために蓋部を有する構造体とする発明であり、バケットの改良意図を異にするものであるが、作業効率を上げることには寄与する分野と考えます。
【考案の開示】
【０００４】本考案が開示する点は、土木建築作業用車両のパワーショベル前部に装着する、作業用アタッチメントの代表として、土砂や塵芥を掬い取り運搬を目的とするバケットであり、作業用アタッチメントのなかでも多用されるバケット部に蓋をし、バケット部から掬い取った瓦礫類のこぼれ落ちを防ぎ、作業効率を上げることができる技術を獲得できた。
【考案を解決しようとする課題】
【０００５】震災現場及び災害現場における土木工事作業時、土木建築作業用車両のパワーショベル前部に装着する、作業用アタッチメントのバケットには、掬い取る瓦礫や土砂の量を求めるばかり、バケット強度を求め、アタッチメント重量が増加傾向にあり、課題となっていた。
【課題を解決するための手段】
【０００６】そこで、本考案のパワーショベル向け瓦礫専用バケットは、強度を削ぐことなく軽量化を図り、付属する蓋部の軽量化を図った。このことにより、バケット構造と蓋構造を組み合わせるアタッチメント構造を可能として、解決することができた。
【考案の効果】
【０００７】また、パワーショベル向け瓦礫専用バケットは、バケットアタッチメントとしての種々の機能要件を現場環境に即応でき、作業効率、経費軽減の複次効果を得ることが出来きた。
【考案を実施するための最良の形態】
【０００８】本考案の、土木建築作業用車両のパワーショベル前部に装着する、作業用アタッチメントである瓦礫専用バケットには、作業内容から強度を維持する必要がある。しかし、バケットの重量は、作業用車両のパワーショベルの軸重配分に配慮を要するため、付属する油圧シリンダー、支持アーム素材の軽量化が求められる。
【実施例】
【０００９】実施例を図１にて説明すると、土木建築作業用車両のパワーショベルＸの前部には、作業用アタッチメントである蓋付瓦礫専用バケットＺの開口部を閉塞した状態で示された側面を表すものである。また、作業用アタッチメントの瓦礫専用バケットＺ、押し出しを制御する支持アーム１０に繋がる作業用アタッチメント用油圧シリンダー１００が一対配置されている。【００１０】図２において、土木建築作業用車両のパワーショベルＸに装着された、作業用アタッチメントである蓋付瓦礫専用バケットＺ開口部を閉塞した状態の図あるが、掬い取った瓦礫や土砂類がバケット部に充填された状態を示すものである。【００１１】作業用アタッチメントである蓋付瓦礫専用バケットＺは、大きくバケット本体部３０と可動式櫛状蓋部２０により構成され、可動式櫛状蓋部２０は上方に跳ね上げることが出来る。【００１２】図３にて説明しますと、作業用アタッチメントである蓋付瓦礫専用バケットＺの、可動式櫛状蓋部２０は櫛状であることから軽量を図ることができ、瓦礫専用バケット開口部側の櫛状蓋の開閉により、バケットに集められた土砂・塵芥・瓦礫を圧縮充填することも可能となり、運搬車両に積み込む際の効率性と確実性を高めるとともに、複次の機能を獲得した作業用アタッチメントであることを特徴とする瓦礫専用バケットのアタッチメントを実現することができた。【００１３】また、瓦礫専用バケットＺのアタッチメントにおいて、櫛状蓋部２０の開閉を行う２対の油圧シリンダー１００は緩衝機能を有し、瓦礫専用バケットＺ開口部への蓋部として閉じる際の静粛性を獲得し、併せて、瓦礫専用バケットＺの閉塞時接触衝撃を軽減することにより部品強度を上げることを特徴とする瓦礫専用バケットバケットＺのアタッチメントを実現できた。
【産業上の利用可能性】
【００１４】瓦礫専用バケットＺのアタッチメントは、災害時などの緊急性の高い工事現場において、複次の機能を装備することが可能となり、しかも、作業時間の効率化、アタッチメント交換作業がなくなり、作業用車両であるパワーショベルＸの稼働率の向上、経済効率の向上に寄与できることを可能とするものです。
【図面の簡単な説明】
【００１５】
【図１】作業用車両のパワーショベルＸの側面図
【図２】作業用車両のパワーショベルＸの前方には支持アーム部１０に取り付けられた瓦礫専用バケットバケットＺの斜視図
【図３】瓦礫専用バケットバケットＺの櫛状蓋部２０の斜視図
【符号の説明】
【００１６】    Ｘ・・・・作業用車両のパワーショベル本体
Ｚ・・・・本考案瓦礫専用バケット
１０・・・・押し出しを制御する支持アーム
２０・・・・可動式櫛状蓋部
３０・・・・バケット本体部
１００・・・・櫛状蓋部２０の開閉を行う２対の油圧シリンダー
【図１】
0003180281.tif 000003
【図２】
0003180281.tif 000004
【図３】
0003180281.tif 000005